(57)【要約】【課題】取扱い性に優れ、かつ、電極と測定部位との接触安定性を向上させることのできる携帯型心電計を提供すること。【解決手段】被験者の手に接触させるための負電極１２１と、被験者の所定の測定部位に接触させるための正電極１２２とを備え、負電極１２１および正電極１２２により検出された電気信号を心電波形として測定することのできる携帯型心電計１００において、負電極１２１および測定のための処理回路を含む本体ユニット１１０に、正電極１２２を揺動自在に支持するためのバネ１９０ａ，１９０ｂ，１９０ｃ，１９０ｄが設けられる。【選択図】図１
2007209608.tif 000002
【特許請求の範囲】
【請求項１】
被験者の手に接触させるための第１の電極と、
前記被験者の所定の測定部位に接触させるための第２の電極と、
前記第１の電極および前記第２の電極により検出された電気信号を心電波形として測定するための測定手段と、
前記第１の電極および前記測定手段を含む第１の筐体と、
前記第１の筐体に設けられ、前記第２の電極を揺動自在に支持するための支持手段とを備える、携帯型心電計。
【請求項２】
前記第１の筐体は、前記第１の電極が設けられた電極形成面と、前記電極形成面の反対側に位置する第１の面とを有し、
前記第２の電極は、前記測定部位と接する接触面と、前記接触面の反対側に位置する第２の面とを有し、
前記支持手段は、前記第１の面と前記第２の面とを連結する、請求項１に記載の携帯型心電計。
【請求項３】
前記第２の電極が設けられた第２の筐体をさらに備え、
前記支持手段は、前記第１の筐体と前記第２の筐体とを連結する、請求項１に記載の携帯型心電計。
【請求項４】
前記第１の筐体は、前記第１の電極が設けられた第１の電極形成面と、前記第１の電極形成面の反対側に位置する第１の面とを有し、
前記第２の筐体は、前記第２の電極が設けられた第２の電極形成面と、前記第２の電極形成面の反対側に位置する第２の面とを有し、
前記支持手段は、前記第１の面と前記第２の面とを連結する、請求項３に記載の携帯型心電計。
【請求項５】
前記被験者によって前記第２の電極が前記測定部位に対して押し当てられたか否かを検知するための検知手段をさらに備える、請求項２または４に記載の携帯型心電計。
【請求項６】
前記検知手段は、
前記第１の面に設けられ、非使用状態において前記第２の面側に突出するボタンと、
前記ボタンが押下されたか否かを検知するための検知手段とを含み、
前記検知手段は、前記ボタンの押下が検知された場合に、前記測定手段による測定の開始を指示する、請求項５に記載の携帯型心電計。
【請求項７】
前記支持手段は、弾性体からなる、請求項１に記載の携帯型心電計。
【請求項８】
前記支持手段は、流体が内蔵された流体袋からなる、請求項１に記載の携帯型心電計。
【請求項９】
前記支持手段は、自在継手からなる、請求項１に記載の携帯型心電計。
【発明の詳細な説明】
【技術分野】
【０００１】
本発明は、心電計に関し、特に、持ち運びが可能で心電波形を容易に測定することが可能な携帯型心電計に関する。
【背景技術】
【０００２】
一般に、不整脈や、狭心症や心筋梗塞等の虚血性心疾患の診断には、患者の心電図が利用される。心電図を得るために利用される心電計としては、種々の構成のものが知られている。その一つに、持ち運びが可能で測定すべき自覚症状が発生した場合に被験者自らが電極を身体に接触させることによって心電波形の測定および記憶を可能にする携帯型心電計が知られている。この携帯型心電計は、イベント式心電計に分類され、患者の身体に予め電極を装着させておき、日常生活を送りながら連続的に心電波形を測定・記録するホルター式心電計と区別されるものである。
【０００３】
このような携帯型心電計において、精度良く心電波形を測定するための提案が従来よりなされている。たとえば、被験者が心電計の本体を把持して測定電極（正電極）を所定の測定部位（胸部）に押し当てて心電波形を測定する一体型の携帯型心電計において、正電極の接触面と測定部位との接触安定性を向上させるために、特許文献１には、正電極が位置する電極領域を取り囲むように、平坦に形成された非電極領域を設けることが開示されている。これにより、多少、心電計を把持している手や測定部位が動いてしまったとしても、接触部位の変動は非電極領域で発生し、電極領域ではほとんど発生しないようになる。
【０００４】
また、特許文献２には、本体ユニットから接続ケーブルによって引き出された測定電極を、測定部位に貼り付けて測定することが開示されている。これによると、被験者が本体ユニットを測定部位に押し当てなくても測定電極が測定部位に固定されるため、電極と測定部位との接触安定性を保つことができる。
【特許文献１】特開２００５−４６２１５号公報
【特許文献２】特開２００５−１８５７５６号公報
【発明の開示】
【発明が解決しようとする課題】
【０００５】
しかしながら、特許文献１のような構成を有する一体型の心電計では、被験者が心電計の本体を測定部位に押圧する方向が、測定部位の表面における法線方向とある程度合致している必要がある。このため、測定中、心電計を把持している手または腕が下がったりして、心電計の測定部位に対する押圧方向が測定部位の表面における法線方向から大きくずれてしまった場合などにおいては、突起部の摩擦のみでは、正電極の接触面と測定部位との接触安定性を良好に保つためには不十分な場合がある。
【０００６】
また、特許文献２では、接続ケーブルを本体ユニットのジャックに差し込むことで、測定が可能となる。このため、自覚症状が発生して、直ぐに測定したい場合でも、接続ケーブルをジャックに差し込む必要があり、被験者は取扱いに不便を感じてしまう可能性がある。
【０００７】
あるいは、特許文献１に記載されたような一体型の携帯型心電計では、被験者の体型（肥満型，痩せ型）や、身体の柔軟性によっては、測定電極を測定部位の表面と平行になるように押し当てることが困難な場合がある。
【０００８】
本発明は、上記のような問題を解決するためになされたものであって、その目的は、取扱い性に優れ、かつ、電極と測定部位との接触安定性を向上させることのできる携帯型心電計を提供することである。
【０００９】
あるいは、取扱い性に優れ、かつ、心電計本体を測定部位に近づける方向にかかわらず、電極と測定部位とを良好に接触させることのできる携帯型心電計を提供することを目的とする。
【課題を解決するための手段】
【００１０】
この発明のある局面に従う携帯型心電計は、被験者の手に接触させるための第１の電極と、被験者の所定の測定部位に接触させるための第２の電極と、第１の電極および第２の電極により検出された電気信号を心電波形として測定するための測定手段と、第１の電極および測定手段を含む第１の筐体と、第１の筐体に設けられ、第２の電極を揺動自在に支持するための支持手段とを備える。
【００１１】
好ましくは、第１の筐体は、第１の電極が設けられた電極形成面と、電極形成面の反対側に位置する第１の面とを有し、第２の電極は、測定部位と接する接触面と、接触面の反対側に位置する第２の面を有し、支持手段は、第１の面と第２の面とを連結する。
【００１２】
好ましくは、第２の電極が設けられた第２の筐体をさらに備え、支持手段は、第１の筐体と第２の筐体とを連結する。
【００１３】
好ましくは、第１の筐体は、第１の電極が設けられた第１の電極形成面と、第１の電極形成面の反対側に位置する第１の面とを有し、第２の筐体は、第２の電極が設けられた第２の電極形成面と、第２の電極形成面の反対側に位置する第２の面とを有し、支持手段は、第１の面と第２の面とを連結する。
【００１４】
好ましくは、被験者によって第２の電極が測定部位に対して押し当てられたか否かを検知するための検知手段をさらに備える。
【００１５】
好ましくは、検知手段は、第１の面に設けられ、非使用状態において第２の面側に突出するボタンと、ボタンが押下されたか否かを検知するための押下検知手段とを含み、押下検知手段は、ボタンの押下が検知された場合に、測定手段による測定の開始を指示する。
【００１６】
好ましくは、支持手段は、弾性体からなる。
あるいは、支持手段は、流体が内蔵された流体袋からなることが好ましい。
【００１７】
あるいは、支持手段は、自在継手からなることが好ましい。
【発明の効果】
【００１８】
本発明によると、取扱い性に優れ、かつ、第２の電極と測定部位との接触安定性を向上させることができる。
【００１９】
あるいは、取扱い性に優れ、かつ、被験者が第１の筐体を測定部位に近づける方向にかかわらず、第２の電極と測定部位とを良好に接触させることが可能となる。
【発明を実施するための最良の形態】
【００２０】
本発明の実施の形態について図面を参照しながら詳細に説明する。なお、図中同一または相当部分には同一符号を付してその説明は繰返さない。
【００２１】
［実施の形態１］
（外観について）
まず、本実施の形態における携帯型心電計の外観構造について説明する。図１は、本発明の実施の形態１における携帯型心電計１００の概略斜視図である。また、図２〜図６は、それぞれ、携帯型心電計１００の正面図、上面図、下面図、右側面図、および左側面図である。
【００２２】
図１〜図６に示すように、本実施の形態における携帯型心電計１００は、取り扱い性に優れたものとなるように、片手で保持することが可能な大きさおよび重さにまで小型軽量化されている。携帯型心電計１００は、図中矢印Ａ方向に延びる扁平な細長の略直方体形状の外形を有している本体ユニット１１０と、後述する正電極１２２が設けられた電極ユニット１１７とを備えている。また、携帯型心電計１００は、本体ユニット１１０に設けられ、正電極１２２を揺動自在に支持するための支持部材を備える。本実施の形態では、支持部材として、伸縮自在な弾性体、たとえば、コイルバネからなるバネ１９０ａ，１９０ｂ，１９０ｃ，１９０ｄが採用される。なお、「支持」とは、直接的に支持する場合と、間接的に支持する場合との両方の概念を含むものとする。本実施の形態では、支持部材であるバネ１９０ａ，１９０ｂ，１９０ｃ，１９０ｄは、直接的には、電極ユニット１１７を揺動自在に支持し、本体ユニット１１０と電極ユニット１１７とを連結している。
【００２３】
図１および図２に示すように、本体ユニット１１０の正面１１１の長手方向（図中矢印Ａ方向）の一方端寄りには、測定の開始を指示するための測定ボタン１４２が設けられている。また、本体ユニット１１０の正面１１１の他方端寄りには、表示部１４８が設けられている。この表示部１４８は、たとえば液晶ディスプレイ等によって構成され、測定結果等を表示する。
【００２４】
図１および図３に示すように、本体ユニット１１０の上面１１３の所定位置には、電源１６０のＯＮ／ＯＦＦを指示するための電源ボタン１４１が配置されている。また、本体ユニット１１０の上面１１３の所定位置には、蓋体である開閉カバー１３０が設けられている。この開閉カバー１３０は、外部記憶媒体用スロット（図示せず）を閉状態において覆い隠すように設けられたものであり、本体ユニット１１０に対して開閉自在に取付けられている。
【００２５】
図１および図４に示すように、本体ユニット１１０の下面１１４の所定位置には、メニューボタン１４３、決定ボタン１４４、左スクロールボタン１４５および右スクロールボタン１４６が配置されている。ここで、メニューボタン１４３は、携帯型心電計１００のメニューの表示を指示するための操作ボタンであり、決定ボタン１４４は、表示部１４８に表示された情報に関する設定動作を実行させるため操作ボタンである。そして左スクロールボタン１４５および右スクロールボタン１４６は、表示部１４８に表示される測定結果のグラフやガイド情報等をスクロールして表示させるための操作ボタンである。
【００２６】
図１および図５に示すように、本体ユニット１１０の長手方向の一方端に位置する右側面１１５には、一対の測定電極のうちの一方の電極であり、被験者の手に接触させるための負電極１２１と、身体の電位変化の基準となる電位を導出するための不関電極１２３とが配置されている。この右側面１１５は、後述する測定姿勢を被験者がとった際に被験者の右手の人差し指がフィットするように滑らかに湾曲した形状となっている。さらに、この右側面１１５には、上下方向に向かって延びる凹部１１５ａが形成されている。この凹部１１５ａは、被験者の右手の人差し指を受入れる形状となっている。
【００２７】
上述の負電極１２１および不関電極１２３は、導電性部材にて形成されている。また、負電極１２１および不関電極１２３は、右側面１１５に設けられた凹部１１５ａ内において、その表面が本体ユニット１１０の外表面に露出した状態となるように配置されている。なお、負電極１２１は、右側面１１５の上面１１３寄りに位置しており、不関電極１２３は、右側面１１５の下面１１４寄りに位置している。
【００２８】
図１および図６に示すように、電極ユニット１１７の一方端の面１１７ａには、一対の測定電極のうちの他方の電極であり、被験者の所定の測定部位に接触させるための正電極１２２が配置されている。本実施の形態において、電極ユニット１１７における正電極１２２が配置された面１１７ａを「電極形成面１１７ａ」という。
【００２９】
図１〜図４に示すように、電極ユニット１１７における電極形成面１１７ａの反対側に位置する面、すなわち電極ユニット１１７の他方端の面１１７ｂと、負電極１２１および不関電極１２３が設けられた面（右側面１１５）の反対側に位置する面、すなわち本体ユニット１１０の左側面１１６とが、バネ１９０ａ，１９０ｂ，１９０ｃ，１９０ｄによって連結されている。より具体的には、電極ユニット１１７における面１１７ｂおよび本体ユニット１１０における左側面１１６は、各々略長方形の形状を有しており、バネ１９０ａ，１９０ｂ，１９０ｃ，１９０ｄは、これらの面１１７ｂ，１１６の四隅をそれぞれ連結している。また、バネ１９０ａ，１９０ｂ，１９０ｃ，１９０ｄは、非使用状態（外部より力が加えられていない状態）において、電極ユニット１１７における面１１７ｂと、本体ユニット１１０における左側面１１６とが略平行になるように、これらの面を連結している。上記より、バネ１９０ａ，１９０ｂ，１９０ｃ，１９０ｄは、間接的には、正電極１２２を揺動自在に支持している。
【００３０】
図１〜図４に示すように、本体ユニット１１０と電極ユニット１１７との間には、フレキシブル基板１８０が設けられている。フレキシブル基板１８０は、本体ユニット１１０の内部に設けられた処理回路１５０（後述）と、電極ユニット１１７に設けられた正電極１２２とを電気的に接続するための部材である。
【００３１】
なお、本実施の形態では、フレキシブル基板１８０によって正電極１２２と処理回路１５０とを電気的に接続することとするが、このような形態に限定されるものではない。たとえば、バネ１９０ａ，１９０ｂ，１９０ｃ，１９０ｄの軸方向に貫通するように、正電極１２２と処理回路１５０とを電気的に接続するリード線等の接続ケーブルを配置してもよい。
【００３２】
（測定姿勢について）
次に、被験者が、本発明の実施の形態１における携帯型心電計１００を用いて心電波形を測定している状態について説明する。図７は、被験者の測定姿勢を示す斜視図であり、図８は、この測定姿勢を上方から見た図である。
【００３３】
図７および図８に示すように、被験者２００は、携帯型心電計１００の本体ユニット１１０の右側面１１５側を右手２１０で把持しつつ、電極ユニット１１７の正電極１２２を胸部２５０の左側下部に位置する第５肋間前腋窩線上の皮膚に直接接触させる。被験者２００が、正電極１２２を胸部２５０に押し当てるために、本体ユニット１１０（における左側面１１６）を胸部２５０に近づける方向（図中矢印Ｐ方向）を、以下「移動方向」という。また、正電極１２２が胸部２５０に押し当てられる方向を、「接触方向」という。なお、移動方向は、本体ユニット１１０における左側面１１６の法線方向に相当し、接触方向は、正電極１２２の接触面１２２ａの法線方向に相当する。
【００３４】
正電極１２２を胸部２５０の表面に接触させた状態で、右手２１０の親指２１１にて本体ユニット１１０の正面１１１に設けられた測定ボタン１４２を押下する。そして、この状態を数十秒程度維持しつつ心電波形を測定する。
【００３５】
このような測定姿勢をとることにより、携帯型心電計１００の本体ユニット１１０の右側面１１５に位置する負電極１２１および不関電極１２３が被験者２００の右手２１０の人差し指２１２に接触し、電極ユニット１１７に設けられた正電極１２２が被験者２００の胸部２５０に接触した状態となる。これにより、負電極１２１に接触した右手２１０、胸部２５０に非接触の前腕２２０、同じく胸部２５０に非接触の上腕２３０および右肩２４０を介して正電極１２２が接触した胸部２５０の順で被験者の身体に測定回路が構成されるようになる。
【００３６】
（構成について）
次に、本実施の形態における携帯型心電計１００のハードウェア構成について説明する。図９は、本発明の実施の形態１における携帯型心電計１００のブロック図である。
【００３７】
図９を参照して、本実施の形態における携帯型心電計１００は、電極部１２０、操作部１４０および処理回路１５０を主に備えている。電極部１２０は、上述の負電極１２１、正電極１２２および不関電極１２３によって構成される。本発明の実施の形態１において、操作部１４０は、上述の電源ボタン１４１、測定ボタン１４２、メニューボタン１４３、決定ボタン１４４、左スクロールボタン１４５および右スクロールボタン１４６を含む。
【００３８】
処理回路１５０は、電極部１２０によって検知された生体電気信号を心電波形として測定するように処理するための回路を内蔵しており、電極部１２０によって検知された生体電気信号を増幅するアンプ回路１５１と、電極部１２０によって検知された生体電気信号からノイズ成分を除去するフィルタ回路１５２と、アナログ信号をデジタル信号に変換するＡ／Ｄ（Analog/Digital）コンバータ１５３と、各種演算を行なうＣＰＵ（central processing unit）１５４と、心電情報を記憶するＲＯＭ（Read Only Memory）やＲＡＭ（Random Access Memory）を有するメモリ１５５と、計時動作して計時した時間データをＣＰＵ１５４に出力するタイマ１７０とを備える。ここで、アンプ回路１５１は、不関電極１２３の出力電圧信号に基づき負電極１２１と正電極１２２の出力電圧信号（生体電気信号）を差動増幅して出力する。また、フィルタ回路１５２は、たとえば０．５Ｈｚ〜３５Ｈｚの通過帯域を有するバンドパスフィルタ（Band Pass Filter）が利用される。
【００３９】
処理回路１５０には、上述の電極部１２０および操作部１４０が接続され、これに加えてさらに表示部１４８および電源１６０が接続される。また、外部記憶媒体を挿入するためのスロットに外部記憶媒体が挿入された場合には、この外部記憶媒体１３２も処理回路１５０に接続されることになる。
【００４０】
ＣＰＵ１５４は、Ａ／Ｄコンバータ１５３から入力されるデジタル信号の解析処理を実行する。また、操作部１４０に含まれる各種操作ボタンからの指令信号を受信し、受信した指令信号に応じた処理を実行する。また、メモリ１５５への情報の書き込みおよび読み出しを実行する。また、表示部１４８への表示制御を行なう。
【００４１】
（動作について）
図１０は、本実施の形態の携帯型心電計１００におけるＣＰＵ１５４が実行する処理の流れを示すフローチャートである。図１０のフローチャートに示す処理は、予めプログラムとしてメモリ１５５のＲＯＭ内に格納されており、ＣＰＵ１５４がこのプログラムを読み出して実行することにより実現される。
【００４２】
図１０を参照して、被験者によって電源ボタン１４１が押下されて電源が投入されると、機器の動作チェックが行なわれる（ステップＳ２）。次に、ＣＰＵ１５４は、表示部１４８に測定ガイドを表示する（ステップＳ４）。たとえば、測定ガイドとして、ユーザである被験者が測定の際にとるべき姿勢などの情報が表示される。
【００４３】
つづいて、ＣＰＵ１５４は、外部より測定開始の指示があったか否かを判断する（ステップＳ５）。具体的には、被験者により測定ボタン１４２が押下されたか否かを判断する。ＣＰＵ１５４は、測定開始の指示があるまで待機する（ステップＳ５においてＮＯ）。
【００４４】
測定開始の指示があったと判断された場合（ステップＳ５においてＹＥＳ）、ＣＰＵ１５４は、心電波形の測定処理を開始し、測定された心電波形の解析を行なう（ステップＳ６，Ｓ８）。Ａ／Ｄコンバータ１５３によりデジタル信号化された心電波形は、メモリ１５５のＲＡＭ内に一時的に記録される。心電波形の解析とは、デジタル信号化された心電波形より、不整脈や心筋の虚血等を示す形状的特徴の有無、徐脈や頻脈等を示す周期的特徴の有無、ノイズや基線変動等による解析不能な波形の有無等を検出し、検出結果を分析する処理である。なお、心電波形の測定および解析は、公知の手順により行なわれてよい。
【００４５】
波形解析の結果、ＣＰＵ１５４は、測定された心電波形が安定していたか否か、すなわち、解析不能な波形の有無を判断する（ステップＳ１０）。心電波形が安定していたと判断された場合（ステップＳ１０においてＹＥＳ）、ステップＳ１２に進む。一方、心電波形が安定していないと判断された場合（ステップＳ１０においてＮＯ）、ステップＳ１４に進む。
【００４６】
ステップＳ１２において、ＣＰＵ１５４は、心電波形の解析結果をメッセージに編集して該メッセージを表示部１４８に表示する。この際、メッセージとともに単位時間当たりの心拍数も表示される。心拍数は心電波形に基づき公知の手順で得ることができる。ステップＳ１２の処理が終わると、ステップＳ１８に進む。
【００４７】
ここで、ステップＳ１２における画面表示例を図１１に示す。図１１では、表示部１４８に、「波形に乱れはないようです。」と示されたメッセージ１６７と、「６０拍／分」と示された単位時間当たりの心拍数のデータ１６３とが表示されている。
【００４８】
ステップＳ１４では、ＣＰＵ１５４は、表示部１４８に、波形解析が不可であった旨の表示を行なうとともに、測定データを保存するか否かのメッセージを表示する。次に、このメッセージに応じて、被験者が測定データの保存を選択したか否かが判断される（ステップＳ１６）。測定データの保存が選択された場合（ステップＳ１６においてＹＥＳ）、ステップＳ１８に進む。一方、測定データの破棄が選択された場合（ステップＳ１６においてＮＯ）、ステップＳ２０に進む。
【００４９】
ステップＳ１８において、ＣＰＵ１５４は、測定データを保存する処理を行なう。すなわち、ＣＰＵ１５４は、タイマ１７０から入力する現在の日時データ、ＲＡＭに一時格納していた心電波形データおよび解析結果を対応付けて、メモリ１５５の所定の記憶領域に格納する。
【００５０】
ステップＳ２０において、ＣＰＵ１５４は、測定データを破棄する。
ステップＳ１８あるいはステップＳ２０の処理が終わると、一連の処理は終了される。
【００５１】
なお、携帯型心電計１００は、上記ステップＳ１８において保存された心電波形の測定・解析結果を読出して、表示部１４８に表示する機能を備えている。図１２に、メモリ１５５に記憶されている心電波形の測定結果の表示画面の一例を示す。図１２を参照して、表示開始時点では、画面の下段部には全測定期間にわたる全体波形の縮小波形１６２が表示されて、その上段部には測定開始時からたとえば２秒間の拡大波形１６４が表示される。また縮小波形１６２の下方には測定期間の長さを示すスケールバー１６５が表示されている。スケールバー１６５上には、拡大波形１６４が測定期間のどのあたりの波形であるかを指示するためのポインタ１６６が表示される。全測定期間のどのあたりの波形を拡大波形１６４として表示するかの変更は、右スクロールボタン１４６と左スクロールボタン１４５を操作してポインタ１６６をスケールバー１６５上を移動させることにより、２秒単位で変更可能である。また、被験者が図１２の画面で心電波形を確認した後、決定ボタン１４４を押下すると、ＣＰＵ１５４は表示中の心電波形に対応の解析結果のデータをメモリ１５５から読出して、メッセージに編集し、編集したメッセージを表示部１４８にたとえば図１１のように表示してもよい。
【００５２】
上述のように、本実施の形態では、本体ユニット１１０には、電極ユニット１１７を揺動自在に支持するバネ１９０ａ，１９０ｂ，１９０ｃ，１９０ｄが設けられている。これらのバネ１９０ａ，１９０ｂ，１９０ｃ，１９０ｄが、揺動自在に電極ユニット１１７を支持している様子を図１３に示す。
【００５３】
図１３には、携帯型心電計１００を用いて心電波形が測定される様子を上方から見た場合の、本体ユニット１１０と電極ユニット１１７との連結状態が示されている。たとえば、本体ユニット１１０の移動方向（図中矢印Ｐ方向）が、測定部位である胸部２５０の表面における法線方向（図中矢印Ｒ方向）と合致する方向からずれてしまったと仮定する。このような場合、図１３に示されるように、たとえばバネ１９０ｃ（および１９０ｄ）が縮み、バネ１９０ａ（および１９０ｂ）が伸びることで、電極ユニット１１７は揺動される。したがって、本体ユニット１１０の移動方向にかかわらず、電極ユニット１１７に設けられた正電極１２２の接触方向（図中矢印Ｓ方向）は、胸部２５０の表面における法線方向と一致することになる。
【００５４】
また、移動方向が胸部２５０の表面における法線方向と合致する方向であったとしても、測定中、たとえば、本体ユニット１１０を把持している手や腕が下がってきてしまうことにより、本体ユニット１１０（における左側面１１６）が胸部２５０側（電極ユニット１１７側）に押圧されている方向がずれてしまうことがある。このような場合でも、本体ユニット１１０の胸部２５０への押圧方向のずれを、バネ１９０ａ，１９０ｂ，１９０ｃ，１９０ｄが吸収することができる。
【００５５】
以上より、本実施の形態によると、本体ユニット１１０の移動方向や押圧方向が、胸部２５０の表面における法線方向からずれてしまった場合でも、正電極１２２の接触方向と胸部２５０の表面における法線方向とを一致させることができる。つまり、本体ユニット１１０の左側面１１６と測定部位の表面とが非平行な状態であったとしても、電極ユニット１１７が柔軟に揺動するため、正電極１２２の接触面１２２ａと測定部位の表面とは平行に保たれることになる。
【００５６】
これにより、正電極１２２と測定部位と接触安定性を向上させることができ、測定電圧値にばらつきが生じてしまうことを防止することができる。したがって、上述のような構成とすることで、精度良く安定的に心電波形を測定することができる。なお、図１３においては、移動方向が本体ユニット１１０の下面１１４側にずれた場合の例を示したが、移動方向が本体ユニット１１０の上面１１３側、正面１１１側あるいは、背面１１２側にずれたとしても、同様の効果が奏される。
【００５７】
以上のように、本実施の形態では、４つのバネを設けることとしたが、本体ユニット１１０と電極ユニット１１７との間に設けられ、電極ユニット１１７を揺動可能に支持できれば、４つに限定されるものではない。たとえば、本体ユニット１１０の左側面１１６の略中央の位置と、電極ユニット１１７の面１１７ｂの略中央の位置とを連結する、１つのバネが設けられてもよい。
【００５８】
あるいは、本実施の形態では、弾性体の例としてコイルバネを用いたが、コイルバネに限定されるものではなく、たとえばゴムなどを用いてもよい。
【００５９】
また、本実施の形態では、正電極１２２を接触させる測定部位は胸部２５０であることとして説明したが、胸部２５０に限定されず、携帯型心電計１００を把持する手以外の四肢または、胴であればよい。
【００６０】
［実施の形態２］
上記実施の形態１では、測定を開始する際、被験者が測定ボタン１４２を押下する必要があった。これに対し、実施の形態２における携帯型心電計は、本発明における携帯型心電計の構成を利用して、自動的に測定を開始するものである。なお、実施の形態２における携帯型心電計の基本的なハードウェア構成および動作は、実施の形態１と同様である。したがって、ここでも、同一または相当部分には同一符号を付して説明する。
【００６１】
以下に、図１４および図１５を用いて、実施の形態２における携帯型心電計について、実施の形態１における携帯型心電計１００との相違点を中心に説明する。なお、図１４および図１５においては、フレキシブル基板１８０の図示が省略されているものとする。
【００６２】
本発明の実施の形態２における携帯型心電計１００Ａの外観の一例を図１４に示す。図１４を参照して、携帯型心電計１００Ａにおいて、実施の形態１の測定ボタン１４２に代えて、本体ユニット１１０Ａの左側面１１６に、非使用状態において、電極ユニット１１７における面１１７ｂ側に突出する測定ボタン１４２Ａが設けられている。本体ユニット１１０Ａの内部には、測定ボタン１４２Ａが押下されたか否かを検知するためのたとえばスイッチ（以下「押下検知スイッチ」という）（図示せず）が含まれるものとする。押下検知スイッチは、測定ボタン１４２Ａが押下されたと判断した場合、ＣＰＵ１５４に対して心電波形の測定開始を指示する。
【００６３】
本実施の形態において、測定ボタン１４２Ａが押下される様子を図１５に示す。なお、この図には、本体ユニット１１０Ａの移動方向（図中矢印Ｐ方向）が、胸部２５０の表面における法線方向と合致している場合の例が示される。図１５を参照して、使用時（測定時）に、被験者が、本体ユニット１１０Ａを、測定部位（図示せず）に対して図中矢印Ｐで示す方向に近づけたとする。そうすると、バネ１９０ａ，１９０ｂ，１９０ｃ，１９０ｄは縮む。これに応じて、電極ユニット１１７の面１１７ｂによって測定ボタン１４２Ａが、図中破線の矢印で示す方向（移動方向と逆の方向）に押下される。そうすると、本体ユニット１１０Ａ内の押下検知スイッチ（図示せず）は、測定ボタン１４２Ａが押下されたことを検知し、ＣＰＵ１５４に対して、測定の開始を指示する。
【００６４】
実施の形態２では、図１０のフローチャートのステップＳ５において、ＣＰＵ１５４は、押下検知スイッチ（図示せず）からの検知信号が入力されたか否かを判断することになる。ＣＰＵ１５４は、検知信号が入力されると、測定開始の指示があったものとみなして（ステップＳ５においてＹＥＳ）、図１０のステップＳ６以下の処理を実行する。
【００６５】
上述のように、本実施の形態では、本体ユニット１１０Ａが測定部位に近づけられることに応じて正電極１２２が測定部位に押し当てられると、本体ユニット１１０Ａと電極ユニット１１７との距離が接近するために、測定ボタン１４２Ａが押下される。本体ユニット１１０Ａの実際の移動方向と測定部位の表面における法線方向とがずれた場合であっても、バネ１９０ａ，１９０ｂ，１９０ｃ，１９０ｄのうちの少なくともいずれかが縮むと測定ボタン１４２Ａが押下されることが望ましい。このため、図１４および図１５に示したように、単一の測定ボタン１４２Ａは、本体ユニット１１０Ａの左側面１１６において、４つのバネ１９０ａ，１９０ｂ，１９０ｃ，１９０ｄが設置された位置の内側の広い範囲に設けられることが好ましい。あるいは、本体ユニット１１０Ａの左側面１１６における、バネ１９０ａ，１９０ｂ，１９０ｃ，１９０ｄが設けられた位置に、それぞれのバネ１９０ａ，１９０ｂ，１９０ｃ，１９０ｄの軸方向に４つの測定ボタンを設けることとしてもよい。
【００６６】
（変形例）
なお、実施の形態２においても、実施の形態１と同様に、本体ユニットと電極ユニットとの間に複数のバネが設けられた場合を例に説明した。しかしながら、本体ユニットと電極ユニットとの間にバネが１つだけ設けられた場合であっても、上記と同様の動作が可能である。図１６に、実施の形態２の変形例における携帯型心電計１００Ｂの外観の一例を示す。なお、他の構成については、実施の形態２と同様である。
【００６７】
図１６に示すように、電極ユニット１１７の面１１７ｂと、本体ユニット１１０Ｂの左側面１１６とが、１つのバネ１９１によって連結されている。より具体的には、バネ１９１は、面１１７ｂにおける略中央の位置と、左側面１１６における略中央の位置とを連結している。バネ１９１は、電極ユニット１１７を揺動自在に支持している。そして、バネ１９１の内部の中空部に測定ボタン１４２Ａが設けられている。この場合も、実施の形態２と同様に、測定ボタン１４２Ａは、本体ユニット１１０Ｂの左側面１１６に、非使用状態において、電極ユニット１１７における面１１７ｂ側に突出して設けられている。
【００６８】
本実施の形態の変形例において、測定ボタン１４２Ａが押下される様子を図１７に示す。図１７を参照して、使用時（測定時）に、被験者が、本体ユニット１１０Ｂを、測定部位（図示せず）に対して図中矢印Ｐで示す方向に移動させたとする。そうすると、バネ１９１は縮む。これに応じて、電極ユニット１１７の面１１７ｂによって測定ボタン１４２Ａが、図中破線の矢印で示す方向（移動方向と逆の方向）に押下される。そうすると、本体ユニット１１０Ｂ内の押下検知スイッチ（図示せず）は、測定ボタン１４２Ａが押下されたことを検知し、ＣＰＵ１５４に対して、測定の開始を指示する。これによって、変形例においても、心電波形の測定が自動的に開始される。
【００６９】
なお、実施の形態２およびその変形例では、測定ボタン１４２Ａが押下されると、測定を開始するものとして説明したが、さらに／または、測定ボタン１４２Ａが押下されたか否かに基づき、正電極１２２の接触状態を示す情報を被験者に報知してもよい。たとえば、“接触状態は良好です”といったメッセージを表示部１４８に表示させてもよいし、音声によって接触状態の情報を報知してもよい。
【００７０】
［実施の形態３］
次に、本発明の実施の形態３について説明する。上記実施の形態１および２では、支持部材として、伸縮自在な弾性体（バネ）を採用した。これに対し、実施の形態３では、支持部材として、自在継手（ユニバーサル軸受）を採用する。なお、実施の形態３における携帯型心電計の基本的なハードウェア構成および動作は、実施の形態１と同様である。したがって、ここでも、同一または相当部分には同一符号を付して説明する。
【００７１】
以下に、図１８および図１９を用いて、実施の形態３における携帯型心電計１００Ｃについて、実施の形態１における携帯型心電計１００との相違点を中心に説明する。
【００７２】
図１８は、本発明の実施の形態３における携帯型心電計１００Ｃの外観の一部を示した図である。図１８を参照して、電極ユニット１１７の面１１７ｂと、本体ユニット１１０Ｃの左側面１１６とが、自在継手１９２によって連結されている。より具体的には、自在継手１９２は、面１１７ｂにおける略中央の位置と、左側面１１６における略中央の位置とを連結している。なお、携帯型心電計１００Ｃが必要以上に長尺とならないようにするためには、図１８に示すように、本体ユニット１１０Ｃの左側面１１６における自在継手１９２が配置される位置に、凹部が設けられてもよい。
【００７３】
本実施の形態では、電極ユニット１１７に設けられた正電極１２２と本体ユニット１１０Ｃ内の処理回路１５０とは、たとえばリード線１８１によって電気的に接続されている。
【００７４】
実施の形態３において、自在継手１９２が電極ユニット１１７を揺動自在に支持している様子を図１９に示す。図１９には、携帯型心電計１００Ｃを用いて心電波形が測定される様子を上方から見た場合の、本体ユニット１１０Ｃと電極ユニット１１７との連結状態が示されている。本体ユニット１１０Ｃが、測定部位（図示せず）に対し、測定部位の表面における法線方向からずれた方向（図中矢印Ｐ方向）に移動または押圧された場合、図１９に示されるように、自在継手１９２が傾く。したがって、本体ユニット１１０Ｃの左側面１１６と測定部位の表面とが非平行な状態であったとしても、電極ユニット１１７に設けられた正電極１２２と測定部位の表面とは平行に保たれる。
【００７５】
これにより、実施の形態３においても、実施の形態１と同様の効果を奏することができる。
【００７６】
なお、本実施の形態のように、支持部材として自在継手１９２を用いた場合であっても、実施の形態２と同様に、正電極１２２が測定部位に押し当てられたか否かを検知できてもよい。たとえば、電極ユニット１１７の位置変化を検出するための加速度センサ（図示せず）を電極ユニット１１７に設けることで、実現可能である。つまり、たとえば、図１０に示したルーチンが開始された後、ステップＳ５において、ＣＰＵ１５４は、加速度センサ（図示せず）からの検出信号に基づく検出量（値）が所定値以内であるか否かを判断する。そして、検出量が所定値以内であれば、電極ユニット１１７の揺動が停止されたと考えられるため、電極ユニット１１７に設けられた正電極１２２が測定部位に押し当てられたと判断することができる。
【００７７】
［実施の形態４］
次に、本発明の実施の形態４について説明する。上記実施の形態１および２では、支持部材として、弾性体（コイルバネ）を採用した。また、実施の形態３では、支持部材として、自在継手を採用した。これに対し、実施の形態４では、支持部材として、流体袋が採用される。なお、実施の形態４における携帯型心電計の基本的なハードウェア構成および動作も、実施の形態１と同様である。したがって、ここでも、同一または相当部分には同一符号を付して説明する。
【００７８】
以下に、図２０および図２１を用いて、実施の形態４における携帯型心電計１００Ｄについて、実施の形態１における携帯型心電計１００との相違点を中心に説明する。
【００７９】
図２０は、本発明の実施の形態４における携帯型心電計１００Ｄの外観の一部を示した図である。図２０を参照して、電極ユニット１１７の面１１７ｂと、本体ユニット１１０Ｄの左側面１１６とが、流体袋１９３によって連結されている。流体袋１９３は、電極ユニット１１７の面１１７ｂおよび本体ユニット１１０Ｄの左側面１１６双方の略全面に接着されている。本実施の形態では、流体袋１９３は、略中央部に穴１９３ａを有する環状（ドーナツ状）の形状に形成されており、当該穴１９３ａによって、電極ユニット１１７における面１１７ｂの所定位置と本体ユニット１１０Ｄにおける左側面１１６の所定位置とが対面している。そして、電極ユニット１１７に設けられた正電極１２２と本体ユニット１１０Ｄ内の処理回路１５０とを電気的に接続するためのリード線１８１が、穴１９３ａを貫通して配される。なお、このように、流体袋１９３に、リード線１８１を接続するための穴１９３ａを設けることとしたが、このような形態に限定されるものではない。たとえば、流体袋１９３の表面に沿うようにリード線１８１を設けてもよい。
【００８０】
次に、実施の形態４において、流体袋１９３が電極ユニット１１７を揺動自在に支持している様子を図２１に示す。図２１には、携帯型心電計１００Ｄを用いて心電波形が測定される様子を上方から見た場合の、本体ユニット１１０Ｄと電極ユニット１１７との連結状態が示されている。本体ユニット１１０Ｄが、測定部位（図示せず）に対し、測定部位の表面における法線方向からずれた方向（図中矢印Ｐ方向）に移動または押圧された場合、図２１に示されるように、流体袋１９３は変形する。したがって、本体ユニット１１０Ｄの左側面１１６と測定部位の表面とが非平行な状態であったとしても、電極ユニット１１７に設けられた正電極１２２と測定部位の表面とは平行に保たれる。
【００８１】
これにより、実施の形態４においても、実施の形態１と同様の効果を奏することができる。
【００８２】
なお、本実施の形態のように、支持部材として流体袋１９３を用いた場合であっても、実施の形態２と同様に、正電極１２２が測定部位に押し当てられたか否かを検知できてもよい。たとえば、流体袋１９３内に圧力センサ（図示せず）を設けることで、実現可能である。つまり、たとえば、図１０に示したルーチンが開始された後、ステップＳ５において、ＣＰＵ１５４は、圧力センサ（図示せず）からの検出信号に基づく検出量（値）が所定値以内であるか否かを判断する。そして、検出量が所定値以内であれば、電極ユニット１１７の揺動が停止されたと考えられるため、電極ユニット１１７に設けられた正電極１２２が測定部位に押し当てられたと判断することができる。
【００８３】
［実施の形態５］
次に、本発明の実施の形態５について説明する。上記実施の形態１〜４では、支持部材は、本体ユニットと電極ユニットとを連結するものであった。これに対し、実施の形態５では、支持部材は、本体ユニットと正電極とを直接連結するものである。なお、実施の形態５における携帯型心電計の基本的なハードウェア構成および動作も、実施の形態１と同様である。したがって、ここでも、同一または相当部分には同一符号を付して説明する。
【００８４】
以下に、図２２〜図２４を用いて、実施の形態５における携帯型心電計１００Ｅについて、実施の形態１における携帯型心電計１００との相違点を中心に説明する。
【００８５】
図２２は、本発明の実施の形態５における携帯型心電計１００Ｅの外観の一部を示した斜視図である。図２３は、本発明の実施の形態５における携帯型心電計１００Ｅの外観の一部を示した正面図である。
【００８６】
図２２および図２３を参照して、本体ユニット１１０Ｅの左側面１１６と、正電極１２２の本体ユニット１１０Ｅに対向する面（すなわち、測定部位との接触面１２２ａの反対側に位置する面）１２２ｂとが、バネ１９０ａ，１９０ｂ，１９０ｃ，１９０ｄによって連結されている。より具体的には、正電極１２２の面１２２ｂは略矩形の形状を有しており、バネ１９０ａ，１９０ｂ，１９０ｃ，１９０ｄは、正電極１２２の面１２２ｂおよび本体ユニット１１０Ｅの左側面１１６の四隅をそれぞれ連結している。そして、正電極１２２の面１２２ｂと本体ユニット１１０Ｅの左側面１１６との間に、正電極１２２と本体ユニット１１０Ｅ内の処理回路１５０とを電気的に接続するためのリード線１８１が接続されている。
【００８７】
本実施の形態において、バネ１９０ａ，１９０ｂ，１９０ｃ，１９０ｄが揺動自在に正電極１２２を支持している様子を図２４に示す。
【００８８】
図２４には、携帯型心電計１００Ｅを用いて心電波形が測定される様子を上方から見た場合の、本体ユニット１１０Ｅと正電極１２２との連結状態が示されている。本体ユニット１１０Ｅが、測定部位（図示せず）に対し、測定部位の表面における法線方向からずれた方向（図中矢印Ｐ方向）に移動または押圧された場合、図２４に示されるように、たとえば、バネ１９０ｃ（および１９０ｄ）は縮み、バネ１９０ａ（および１９０ｂ）は伸びることになる。このように、本体ユニット１１０Ｅの左側面１１６と測定部位の表面とが非平行な状態であったとしても、正電極１２２（における接触面１２２ａ）と測定部位とは平行に保たれる。
【００８９】
これにより、実施の形態５においても、実施の形態１と同様の効果を奏することができる。
【００９０】
なお、本実施の形態では、４つのバネを設けた例を示したが、４つに限定されるものではなく、たとえば１つのバネが設けられてもよいし、５つ以上のバネが設けられてもよい。あるいは、バネに代えて、他の弾性体、あるいは、自在継手または流体袋が設けられてもよい。
【００９１】
また、実施の形態５においても、実施の形態２と同様に、測定ボタン１４２Ａを本体ユニット１１０Ｅの左側面１１６に設けて、心電波形の測定を自動的に開始してもよい。あるいは、正電極１２２の接触状態を被験者に報知してもよい。
【００９２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９３】
【図１】本発明の実施の形態１における携帯型心電計の概略斜視図である。
【図２】本発明の実施の形態１における携帯型心電計の正面図である。
【図３】本発明の実施の形態１における携帯型心電計の上面図である。
【図４】本発明の実施の形態１における携帯型心電計の下面図である。
【図５】本発明の実施の形態１における携帯型心電計の右側面図である。
【図６】本発明の実施の形態１における携帯型心電計の左側面図である。
【図７】本発明の実施の形態１における携帯型心電計を用いて心電波形を測定する際に被験者がとるべき測定姿勢を示した斜視図である。
【図８】本発明の実施の形態１における携帯型心電計を用いて心電波形を測定する際に被験者がとるべき測定姿勢を上方から見た図である。
【図９】本発明の各実施の形態における携帯型心電計のハードウェア構成を示すブロック図である。
【図１０】本発明の各実施の形態の携帯型心電計におけるＣＰＵが実行する処理の流れを示すフローチャートである。
【図１１】本発明の各実施の形態における、測定結果の画面表示の一例を示す図である。
【図１２】本発明の各実施の形態においてメモリに記憶されている心電波形の測定結果の表示画面の一例を示す図である。
【図１３】本発明の実施の形態１において、バネが電極ユニットを揺動自在に支持している様子を示す図である。
【図１４】本発明の実施の形態２における携帯型心電計の外観の一例を示す図である。
【図１５】本発明の実施の形態２において、測定ボタンが押下される様子を示す図である。
【図１６】本発明の実施の形態２の変形例における携帯型心電計の外観の一例を示す図である。
【図１７】本発明の実施の形態２の変形例において、測定ボタンが押下される様子を示す図である。
【図１８】本発明の実施の形態３における携帯型心電計の外観の一部を示す図である。
【図１９】本発明の実施の形態３において、自在継手が電極ユニットを揺動自在に支持している様子を示す図である。
【図２０】本発明の実施の形態４における携帯型心電計の外観の一部を示す図である。
【図２１】本発明の実施の形態４において、流体袋が電極ユニットを揺動自在に支持している様子を示す図である。
【図２２】本発明の実施の形態５における携帯型心電計の外観の一部を示した斜視図である。
【図２３】本発明の実施の形態５における携帯型心電計の外観の一部を示した正面図である。
【図２４】本発明の実施の形態５において、バネが正電極を揺動自在に支持している様子を示す図である。
【符号の説明】
【００９４】
１００，１００Ａ，１００Ｂ，１００Ｃ，１００Ｄ，１００Ｅ  携帯型心電計、１１０，１１０Ａ，１１０Ｂ，１１０Ｃ，１１０Ｄ，１１０Ｅ  本体ユニット、１１１  正面、１１２  背面、１１３  上面、１１４  下面、１１５  右側面、１１６  左側面、１１７  電極ユニット、１２０  電極部、１２１  負電極、１２２  正電極、１２３  不関電極、１３０  開閉カバー、１３２  外部記憶媒体、１４０  操作部、１４１  電源ボタン、１４２，１４２Ａ  測定ボタン、１４３  メニューボタン、１４４  決定ボタン、１４５  左スクロールボタン、１４６  右スクロールボタン、１４８  表示部、１５０  処理回路、１５１  アンプ回路、１５２  フィルタ回路、１５３  Ａ／Ｄコンバータ、１５４  ＣＰＵ、１５５  メモリ、１６０  電源、１７０  タイマ、１８０  フレキシブル基板、１８１  リード線、１９０ａ，１９０ｂ，１９０ｃ，１９０ｄ，１９１  バネ、１９２  自在継手、１９３  流体袋。
【図１】
2007209608.tif 000003
【図２】
2007209608.tif 000004
【図３】
2007209608.tif 000005
【図４】
2007209608.tif 000006
【図５】
2007209608.tif 000007
【図６】
2007209608.tif 000008
【図７】
2007209608.tif 000009
【図８】
2007209608.tif 000010
【図９】
2007209608.tif 000011
【図１０】
2007209608.tif 000012
【図１１】
2007209608.tif 000013
【図１２】
2007209608.tif 000014
【図１３】
2007209608.tif 000015
【図１４】
2007209608.tif 000016
【図１５】
2007209608.tif 000017
【図１６】
2007209608.tif 000018
【図１７】
2007209608.tif 000019
【図１８】
2007209608.tif 000020
【図１９】
2007209608.tif 000021
【図２０】
2007209608.tif 000022
【図２１】
2007209608.tif 000023
【図２２】
2007209608.tif 000024
【図２３】
2007209608.tif 000025
【図２４】
2007209608.tif 000026